(57)【要約】【課題】ロック操作およびロック解除操作を容易に行うことができるロック機構を提供する。【解決手段】ボトムバー（第１部材）２に設けられ被係止部５を有するロック装置４と、枠部（第２部材）３に設けられ被係止部５を係止可能な係止部３８と、を有し、被係止部５が係止部３８に係止されるとボトムバー２が枠部３に固定され、被係止部５の係止部３８による係止が解除されるとボトムバー２と枠部３の固定が解除されるロック機構１において、ロック装置４は、ボトムバー２とともに枠部３に押し付けられる度に被係止部５をボトムバー２と枠部３とが近接・離間する方向に延びる軸線を中心とする回転方向の一方側に所定角度ずつ回転させ、被係止部５が係止部３８に係止されたロック状態と、被係止部５の係止部３８による係止が解除されたロック解除状態と、に交互に切り替え可能に構成されている。【選択図】図２
2019023406.tif 000002
【特許請求の範囲】
【請求項１】
第１部材に設けられ被係止部を有するロック装置と、
第２部材に設けられ前記被係止部を係止可能な係止部と、を有し、
前記被係止部が前記係止部に係止されると前記第１部材が前記第２部材に固定され、前記被係止部の前記係止部による係止が解除されると前記第１部材と前記第２部材の固定が解除されるロック機構において、
前記ロック装置は、前記第１部材とともに前記第２部材に押し付けられる度に前記被係止部を前記第１部材と前記第２部材とが近接・離間する方向に延びる軸線を中心とする回転方向の一方側に所定角度ずつ回転させ、前記被係止部が前記係止部に係止されたロック状態と、前記被係止部の前記係止部による係止が解除されたロック解除状態と、に交互に切り替え可能に構成されていることを特徴とするロック機構。
【請求項２】
前記ロック装置は、前記被係止部と連結されて前記被係止部とともに前記回転方向に回転可能な回転子と、
前記回転子の前記回転方向の回転および停止を切り替えるカム部と、を有し、
前記カム部は、前記第２部材と当接可能な当接部を有し、前記当接部が前記第２部材と当接して押し付けられる度に前記回転子を前記回転方向の一方側に前記所定角度ずつ回転させるように構成されている請求項１に記載のロック機構。
【請求項３】
前記カム部は、前記回転子を摺動させて前記回転方向の一方側に回転させる第１摺動面と、前記回転子と前記回転方向の一方側から当接して前記回転子の回転を停止させる停止面と、が形成された第１カム部と、
前記回転子を摺動させて前記回転方向の一方側に回転させて前記回転子が前記第１摺動面を摺動するようにガイドする第２摺動面が形成された第２カム部と、を有し、
前記当接部が前記第２部材に当接して押し付けられると、前記回転子は、前記停止面から離間し、前記第２摺動面を摺動しながら前記回転方向の一方側に回転して前記第１摺動面へガイドされ、前記第１摺動面を摺動しながら前記回転方向の一方側に回転するように構成されている請求項２に記載のロック装置。
【発明の詳細な説明】
【技術分野】
【０００１】
本発明は、框などの第１部材を枠などの第２部材に着脱するためのロック機構に関する。
【背景技術】
【０００２】
開口部を開閉するシャッター装置やサッシ装置、スクリーン装置などには、開口部を閉鎖した状態を維持するためのロック機構が設けられている（例えば、特許文献１参照）。
例えば、シャッターの巾木に回動可能に設けられたフック部が、シャッター装置の下枠に設けられた軸部に回動して引っ掛かることで開口部を閉鎖した状態に維持するロック機構が知られている。
また、引違サッシの内障子と外障子とを開口部を閉鎖した状態に固定するクレセント錠によるロック機構も知られている。
また、スクリーン装置のスクリーンのボトムバーにフック部材が設けられていて、スクリーン装置の下枠や床、土間などに設けられたリング部材にフック部が回動して引っ掛かることで開口部を閉鎖した状態に維持するロック機構も知られている。
更には、網戸の框および枠のそれぞれにマグネットが設けられていて、マグネット同士が吸着することで開口部を閉鎖した状態に維持するロック機構も知られている。
【先行技術文献】
【特許文献】
【０００３】
【特許文献１】特開２００３−３４３１８３号公報
【発明の概要】
【発明が解決しようとする課題】
【０００４】
上記のようなロック機構では、ロック操作およびロック解除操作行う際に、フック部が取り付けられたハンドルやクレセントをロック方向またはロック解除方向に回動させたり、枠に対して框を近接または離間する方向に移動させたりしている。このようなロック機構では、ロック操作やロック解除操作を少ない動作でより容易に行うことが望まれている。
【０００５】
そこで本発明は、ロック操作およびロック解除操作を容易に行うことができるロック機構を提供することを目的とする。
【課題を解決するための手段】
【０００６】
上記目的を達成するため、本発明に係るロック機構は、第１部材に設けられ被係止部を有するロック装置と、第２部材に設けられ前記被係止部を係止可能な係止部と、を有し、前記被係止部が前記係止部に係止されると前記第１部材が前記第２部材に固定され、前記被係止部の前記係止部による係止が解除されると前記第１部材と前記第２部材の固定が解除されるロック機構において、前記ロック装置は、前記第１部材とともに前記第２部材に押し付けられる度に前記被係止部を前記第１部材と前記第２部材とが近接・離間する方向に延びる軸線を中心とする回転方向の一方側に所定角度ずつ回転させ、前記被係止部が前記係止部に係止されたロック状態と、前記被係止部の前記係止部による係止が解除されたロック解除状態と、に交互に切り替え可能に構成されていることを特徴とする。
【０００７】
本発明では、ロック装置を第１部材とともに第２部材に押し付けることで、被係止部が係止部に係止されたロック状態と、係止部による被係止部の係止が解除されたロック解除状態と、を交互に切り替えることができる。このように、ロック操作およびロック解除操作がともに第１部材を第２部材に押し付けるという同じ動作となるため、ロック操作およびロック解除操作を容易に行うことができる。
【０００８】
また、本発明に係るロック機構では、前記ロック装置は、前記被係止部と連結されて前記被係止部とともに前記回転方向に回転可能な回転子と、前記回転子の前記回転方向の回転および停止を切り替えるカム部と、を有し、前記カム部は、前記第２部材と当接可能な当接部を有し、前記当接部が前記第２部材と当接して押し付けられる度に前記回転子を前記回転方向の一方側に前記所定角度ずつ回転させるように構成されていてもよい。
このような構成とすることにより、第１部材を前記第２部材に押し付けることでカム部が回転子を回転させて被係止部を確実に回転させることができるため、ロック操作およびロック解除操作を確実に行うことができる。
【０００９】
また、本発明に係るロック機構では、前記カム部は、前記回転子を摺動させて前記回転方向の一方側に回転させる第１摺動面と、前記回転子と前記回転方向の一方側から当接して前記回転子の回転を停止させる停止面と、が形成された第１カム部と、前記回転子を摺動させて前記回転方向の一方側に回転させて前記回転子が前記第１摺動面を摺動するようにガイドする第２摺動面が形成された第２カム部と、を有し、前記当接部が前記第２部材に当接して押し付けられると、前記回転子は、前記停止面から離間し、前記第２摺動面を摺動しながら前記回転方向の一方側に回転して前記第１摺動面へガイドされ、前記第１摺動面を摺動しながら前記回転方向の一方側に回転するように構成されていてもよい。
このように、第２カム部が回転子を第１カム部の第１摺動面にガイドできるため、回転子を確実に回転させることができる。
【発明の効果】
【００１０】
本発明によれば、ロック操作およびロック解除操作を容易に行うことができる。
【図面の簡単な説明】
【００１１】
【図１】本発明の第１実施形態によるロック機構が設けられたスクリーン装置の一例を示す斜視図である。
【図２】図１のＡ−Ａ線断面に対応するロックが解除された状態のロック機構を説明する図である。
【図３】図２の状態のロック機構を見込み方向から見た図である。
【図４】図３の斜視図である。
【図５】本発明の第１実施形態による回転子の斜視図である。
【図６】本発明の第１実施形態による回転子の正面図である。
【図７】本発明の第１実施形態による第１カム部の斜視図である。
【図８】本発明の第１実施形態による第２カム部の斜視図である。
【図９】本発明の第１実施形態による第１カム部および第２カム部の斜視図である。
【図１０】本発明の第１実施形態による回転子、第１カム部および第２カム部の位置を説明する図である。
【図１１】（ａ）は本発明の第１実施形態によるロック機構の動作を説明する断面図、（ｂ）は（ａ）の状態における被係止部を説明する図である。
【図１２】図１１に続くロック機構の動作を説明する断面図である。
【図１３】ロック機構の動作を説明する斜視図である。
【図１４】図１３に続くロック機構の動作を説明する斜視図である。
【図１５】（ａ）は図１１（ａ）に続くロック機構の動作を説明する断面図、（ｂ）は（ａ）の状態における被係止部を説明する図である。
【図１６】図１４に続くロック機構の動作を説明する斜視図である。
【図１７】（ａ）は図１５（ａ）に続くロック機構の動作を説明する断面図、（ｂ）は（ａ）の状態における被係止部を説明する図である。
【図１８】ロック状態のロック機構を説明する断面図である。
【図１９】本発明の第２実施形態によるロック機構を説明する断面図である。
【図２０】本発明の第２実施形態によるロック機構を説明する斜視図である。
【図２１】本発明の第２実施形態による回転子の斜視図である。
【図２２】本発明の第２実施形態による第１カム部の斜視図である。
【図２３】本発明の第２実施形態による第２カム部の斜視図である。
【図２４】（ａ）は本発明の第２実施形態によるロック機構の動作を説明する断面図、（ｂ）は（ａ）の状態における被係止部を説明する図である。
【図２５】本発明の第２実施形態によるロック機構の動作を説明する斜視図である。
【図２６】図２５に対応するロック機構の動作を説明する断面図である。
【図２７】図２５に続くロック機構の動作を説明する斜視図である。
【図２８】（ａ）は図２７に対応するロック機構の動作を説明する断面図、（ｂ）は（ａ）の状態における被係止部を説明する図である。
【図２９】図２７に続くロック機構の動作を説明する斜視図である。
【図３０】（ａ）は図２７に対応するロック機構の動作を説明する断面図、（ｂ）は（ａ）の状態における被係止部を説明する図である。
【発明を実施するための形態】
【００１２】
（第１実施形態）
以下、本発明の実施形態によるロック機構について、図１乃至図１８に基づいて説明する。
図１に示すように、本実施形態によるロック機構１は、壁部に形成された開口部を開閉するサッシに網戸や日よけとして設けられたスクリーン装置１１に設けられている。
スクリーン装置１１は、開口部を開閉可能なスクリーン１２と、サッシの上方に設けられてスクリーン１２を巻き取り・巻き出し可能な巻き取り部１３と、スクリーン１２の下縁部と固定されたボトムバー（第１部材）２と、ボトムバー２を固定可能な枠部（第２部材）３と、を有している。
壁部に沿った水平方向を見付け方向とし、見付け方向に直交する水平方向を見込み方向とする。
【００１３】
スクリーン１２は、網戸の網材や、日よけの布材などで、巻き取り部１３が巻き取り・巻き出し可能な可撓性を有するシート状に形成されている。スクリーン１２は、巻き取り部１３から巻き出されると、その面が鉛直面となる向きで開口部を閉塞し、巻き取り部１３に巻き取られると上方で巻かれた状態となって開口部を開放するように構成されている。スクリーン１２は、その面が開口部を閉塞可能な矩形状に形成されている。
【００１４】
ボトムバー２は、長尺に形成され、長さ方向が見付け方向となる向きに配置されている。ボトムバー２は、長さ方向（見付け方向）全体にわたって同じ断面形状に形成されている。
ボトムバー２は、下側に配置される下側部材２１と、上側に配置される上側部材２２と、下側部材２１および上側部材２２の端部を覆う端部キャップ２３と、を有している。
【００１５】
図２に示すように、下側部材２１は、室外側に設けられ板面が見込み方向を向く略鉛直面となる第１室外側板部２１１と、室内側に配置され板面が見込み方向を向く略鉛直面となる第１室内側板部２１２と、第１室外側板部２１１の上端部と第１室内側板部２１２の上端部を接続し板面が略水平面となる第１上板部２１３と、を有している。第１室外側板部２１１と第１室内側板部２１２とは、それぞれ同じ高さ寸法に形成され、同じ高さにおいて見込み方向に対向する位置に配置されている。
下側部材２１には、第１室外側板部２１１と、第１室内側板部２１２と、第１上板部２１３との間に長さ方向（見付け方向）に延びる第１ボトムバー溝部２１４が形成されている。
【００１６】
上側部材２２は、室外側に設けられ板面が見込み方向を向く略鉛直面となる第２室外側板部２２１と、室内側に配置され板面が見込み方向を向く略鉛直面となる第２室内側板部２２２と、第２室外側板部２２１の上端部と第２室内側板部２２２の上端部を接続し板面が略水平面となる第２上板部２２３と、を有している。第２室外側板部２２１と第２室内側板部２２２とは、それぞれ同じ高さ寸法に形成され、同じ高さにおいて見込み方向に対向する位置に配置されている。
上側部材２２には、第２室外側板部２２１と、第２室内側板部２２２と、第２上板部２２３との間に長さ方向（見付け方向）に延びる第２ボトムバー溝部２２４が形成されている。
【００１７】
上側部材２２の見込み方向の寸法は、下側部材２１の見込み方向の寸法よりも小さく設定されていて、第２室外側板部２２１の下端部２２１ａおよび第２室内側板部２２２の下端部２２２ａが第１上板部２１３に接続されている。
下側部材２１の第１上板部２１３には、上下方向に貫通する孔部２１３ａが形成されている。この孔部２１３ａは、ロック装置４が貫通している。ロック装置４は、第１ボトムバー溝部２１４および第２ボトムバー溝部２２４の両方にわたるように配置されている。
【００１８】
枠部３は、ボトムバー２の下側に設けられている。枠部３は、長尺に形成され、長さ方向が見付け方向となる向きに配置されている。枠部３は、見付け方向（長さ方向）全体にわたって同じ断面形状に形成されている。
【００１９】
枠部３は、室外側に設けられ板面が見込み方向を向く略鉛直面となる室外側板部３１と、室内側に配置され板面が見込み方向を向く略鉛直面となる室内側板部３２と、室外側板部３１の下端部と室内側板部３２の下端部を接続し板面が略水平面となる下板部３３と、室外側板部３１の上端部３１ａから室内側に突出する第１上板部３４と、室内側板部３２の上端部３２ａから室内側に突出する第２上板部３５と、を有している。
室外側板部３１と室内側板部３２とは、それぞれ同じ高さ寸法に形成され、同じ高さにおいて見込み方向に対向する位置に配置されている。
【００２０】
第１上板部３４と第２上板部３５とは、同じ高さに配置され、第１上板部３４の室内側の端部３４ａと第２上板部３５の室外側の端部３５ｂとは、見込み方向に離間している。第１上板部３４の室内側の端部３４ａと第２上板部３５の室外側の端部３５ａとの間をスリット部３６とし、第１上板部３４の室内側の端部３４ａと第２上板部３５の室外側の端部３５ａとの離間寸法をスリット部３６の幅寸法Ｄ１とする。
枠部３には、室外側板部３１、室内側板部３２、下板部３３、第１上板部３４および第２上板部３５の内側に長さ方向（見付け方向）に延びる枠溝部３７が形成されている。
枠部３は、見込み方向の寸法がボトムバー２の下側部材２１の第１ボトムバー溝部２１４の見込み方向の寸法よりも小さいため、第１ボトムバー溝部２１４の内部に入り込むことが可能となっている。
【００２１】
ロック機構１は、ボトムバー２に設けられ被係止部５を有するロック装置４と、枠部３に設けられ被係止部５を係止可能な係止部３８と、を有している。
枠部３の枠溝部３７、第１上板部３４および第２上板部３５が係止部３８を構成している。
図２〜４に示すように、ロック装置４は、被係止部５と、被係止部５と連結された回転子６と、回転子６を回転させるカム部７と、を有している。
【００２２】
回転子６は、その軸線Ｌ１を中心にカム部７に対して回転可能に構成されていて、軸線Ｌ１が上下方向に延びるように配置されている。回転子６が回転する方向を回転方向または周方向とする。
図５および６に示すように、回転子６は、上下方向に延びる軸部６１と、軸部６１の上端部に連結された円板部６２と、円板部６２の外周部から外側に突出する４つの羽部６３と、を有している。
円板部６２および４つの羽部６３は、一体に形成されていて、ロック装置４を組み立てる段階で軸部６１と連結されている。
【００２３】
軸部６１は、丸棒状に形成され、下部側が上部側よりも拡径している。軸部６１のうちの拡径している下部側を大径部６１１とし、大径部６１１よりも径が小さい上部側を小径部６１２とする。大径部６１１の外径は、枠部３のスリット部３６（図２参照）の幅寸法よりも小さい寸法に設定されている。軸部６１は、枠部３のスリット部３６を上下方向に通過可能に構成されている。
【００２４】
円板部６２は、軸部６１の小径部６１２よりも外径が大きく形成されている。円板部６２は、軸部６１と同軸となり、板面が略水平面となるように配置されている。
４つの羽部６３は、円板部６２の軸線Ｌ１を中心として周方向に９０°ずつ等しく間隔をあけるように設けられている。４つの羽部６３は、それぞれ円板部６２から径方向（軸線Ｌ１に近接・離間する方向）の外側に突出している。４つの羽部６３は、設けられている位置以外は同じ形状に形成されている。
【００２５】
羽部６３は、径方向から見た形状が矩形となる略四角柱に形成されている。
羽部６３の上端面６３１は、円板部６２の上端面６２１と面一となる平面に形成されている。
羽部６３の周方向の両側の端面６３２，６３３は、それぞれ略周方向を向く平面に形成されている。羽部６３の周方向の両側の端面６３２，６３３のうちの周方向の一方側の端面を停止当接面６３２とする。
羽部６３の下端面６３４は、停止当接面６３２の下端部から羽部６３の周方向の他方側の端面６３３の下端部に向かって上側に傾斜している。
【００２６】
被係止部５は、平板状に形成されている。被係止部５の板面は、縦方向および横方向の両方向に対して対称となるように形成されている。このため、被係止部５の板面の中心は、縦方向および横方向それぞれの長さの中心と一致している。
被係止部５の板面の縦方向の寸法Ｌ２は、枠部３のスリット部３６の幅寸法Ｄ１（図２参照）よりも大きく、枠部３の室外側板部３１と室内側板部３２との間隔よりも小さい値に設定されている。被係止部５の板面の横方向の寸法Ｌ３は、スリット部３６の幅寸法Ｄ１よりも小さい値に設定されている。被係止部５の板面の縦方向を長手方向とし、横方向を短手方向とする。
被係止部５は、板面が水平面となり板面の中心に回転子６の軸部６１の軸線Ｌ１が直交する向きで軸部６１の下端部に連結されている。被係止部５は、ロック装置４を組み立てる段階で軸部６１と連結されている。
【００２７】
被係止部５は、回転子６とともに回転方向に回転可能に構成されている。被係止部５は、回転子６とともに回転することで板面の長手方向が見付け方向（枠部３およびスリット部３６の長さ方向）となり、板面の短手方向が見込み方向（枠部３およびスリット部３６の幅方向）となる第１姿勢と、板面の長手方向が見込み方向となり、板面の短手方向が見付け方向となる第２姿勢と、に切り替えることができる。
被係止部５は、第１姿勢となるとスリット部３６の間を上下方向に通過可能となり、第２姿勢なると、枠部３のスリット部３６を通過できないように構成されている。
【００２８】
図２〜４に示すように、カム部７は、回転子６を周方向に回転させるとともに、周方向に回転する回転子６を停止させる第１カム部８と、停止状態の回転子６を第１カム部８によって回転するようにガイドする第２カム部９と、を有している。
第１カム部８および第２カム部９はそれぞれ円筒状に形成された筒状部を有し、回転子６と同軸となるように配置されている。第１カム部８の筒状部（第１筒状部８１）に第２カム部９の筒状部（第２筒状部９１）が同軸に挿入され、第２筒状部９１に回転子６の軸部６１が同軸に挿入されている。
回転子６の円板部６２および４つの羽部６３は、第１筒状部８１および第２筒状部９１の上側に配置されている。被係止部５は、第１筒状部８１および第２筒状部９１の下側に配置されている。
【００２９】
図７に示すように、第１カム部８は、第１筒状部８１と、第１筒状部８１の外周から径方向外側に突出する２つの固定板部８２と、第１筒状部８１の内部に設けられて第２筒状部９１および回転子６の位置決めを行う位置決め部８３と、を有している。
【００３０】
第１筒状部８１の上端面には、周方向の一方側から他方側に向かって漸次上側に向かう第１傾斜面８１１（第１摺動面）と、周方向の他方側を向く鉛直面となる停止面８１２と、が交互に４つずつ配列されている。第１筒状部８１の上端面は、交互に配列された第１傾斜面８１１および停止面８１２によって連続した山形形状（ギザギザ形状）に形成されている。
【００３１】
４つの第１傾斜面８１１は、第１筒状部８１の上端面に９０°ずつ周方向にずれた位置に形成されている。４つの第１傾斜面８１１は、同じ傾斜角および同じ長さに形成され、同じ高さに配置されている。
４つの第１傾斜面８１１の傾斜角は、回転子６の羽部６３の下端面６３４（図５および図６参照）の傾斜角と同じ値に設定されている。
４つの停止面８１２は、それぞれ周方向の一方側に配置された第１傾斜面８１１の周方向の他方側の端部８１１ａ（上端部）と、この第１傾斜面８１１の周方向の他方側に配置された第１傾斜面８１１の周方向の一方側の端部（下端部）８１１ｂと、を接続するように形成されている。４つの停止面８１２は、同じ高さに配置されて、鉛直面で構成されている。
【００３２】
図２〜４に示すように、４つの第１傾斜面８１１は、少なくとも下部側が回転子６の羽部６３よりも下側に配置されている。
第１傾斜面８１１の傾斜は、羽部６３の下端面６３４の傾斜と略同じ傾斜角に設定されている。羽部６３は、下端面６３４が第１傾斜面８１１に当接した状態で第１傾斜面８１１を摺動するように構成されている。
停止面８１２には、羽部６３の停止当接面６３２が周方向の他方側から当接可能に構成されている。このため、羽部６３は、停止当接面６３２が停止面８１２に当接すると、周方向の一方側に向かうように回転的できないように構成されている。
【００３３】
図７に示すように、第１筒状部８１には、下端部から高さ方向の中間部まで上下方向に延びる２つのガイド溝部８１３が形成されている。２つのガイド溝部８１３は、軸線Ｌ１を挟んで互いに対向した位置に、同じ高さに配置されている。２つのガイド溝部８１３は、４つの第１傾斜面８１１および４つの停止面８１２と干渉しない位置に形成されている。
【００３４】
２つの固定板部８２は、平板状に形成されていて、板面が水平面となる向きに配置されている。２つの固定板部８２は、互いに軸線Ｌ１を挟んで対向した位置に同じ高さに配置されている。２つの固定板部８２は、それぞれ４つの第１傾斜面８１１、４つの停止面８１２および２つのガイド溝部８１３と干渉しない位置に配置されている。本実施形態では、４つの第１傾斜面８１１および４つの停止面８１２の下側において、２つのガイド溝部８１３の間に固定板部８２が配置されている。
【００３５】
図２および３に示すように、２つの固定板部８２は、それぞれの上面がボトムバー２の第１上板部２１３の下面に当接した状態でネジなどの固定具で固定可能に構成されている。
このとき、第１カム部８における２つの固定板部８２よりも上側の部分は、第１上板部２１３の孔部２１３ａに下側から挿通されて第１上板部２１３の上側の第２ボトムバー溝部２２４に配置され、２つの固定板部８２よりも下側の部分は、第１上板部２１３の下側の第１ボトムバー溝部２１４に配置されている。
第１カム部８は、２つの固定板部８２がボトムバー２の第１上板部２１３に固定されていることにより、ボトムバー２に対する回転方向の回転および上下方向の移動が拘束され、ボトムバー２とともに上下方向に移動するように構成されている。
【００３６】
図７に戻り、位置決め部８３は、第１筒状部８１の内部に同軸に配置され内側に孔部８３１ａが形成された円環状の環状部８３１と、環状部８３１の外周から第１筒状部８１の内周面まで径方向外側に突出する４つの突出片８３２と、を有している。
環状部８３１は、外径が第１筒状部８１の内径よりも小さく形成され、孔部８３１ａの内径が回転子６の軸部６１の小径部６１２よりも大きく形成されている。環状部８３１は、孔部８３１ａの内側に回転子６の軸部６１の小径部６１２が挿通されるように構成されている。環状部８３１の孔部８３１ａは、回転子６の位置決めをすることができる。
【００３７】
４つの突出片８３２は、環状部８３１の外周に周方向に等しく９０°ずつ間隔をあけて設けられている。４つの突出片８３２それぞれの先端部は、第１筒状部８１の内周面と接続されている。
位置決め部８３は、第１筒状部８１における第１傾斜面８１１および停止面８１２よりも下側となる位置に配置され、４つの突出片８３２が、第１傾斜面８１１の下側となる位置で第１筒状部８１の内周面に接続されている。
４つの突出片８３２は、第１筒状部８１の内周面と環状部８３１の外周面との間を４つの空部８３３に分割している。これらの４つの空部８３３には、それぞれ第２カム部９の上部側が挿通されるように構成されている。これらの４つの空部８３３は、第２カム部９の位置決めをすることができる。
【００３８】
図８に示すように、第２カム部９は、第２筒状部９１と、第２筒状部９１の下縁部全周から径方向の外側に突出する当接部９２と、第２筒状部９１の外周面から径方向外側に突出する上下方向に延びる２つのリブ９３と、を有している。
【００３９】
第２筒状部９１には、上端部から高さ方向の中間部まで上下方向に延びる４つの分割溝部９１１が周方向に等しく９０°ずつ間隔をあけるように形成されている。４つの分割溝部９１１は、配置されている位置以外は同じ形態に形成されている。
第２筒状部９１の上部側は、４つの分割溝部９１１によって４つに分割されている。４つに分割された第２筒状部９１の上部側をそれぞれ分割片９１２とする。４つの分割片９１２は、配置されている位置以外は同じ形態に形成されている。
【００４０】
分割片９１２の上端面は、周方向の一方側の端部から周方向の中間部まで周方向の他方側に向かって漸次上側に向かう第２傾斜面９１３と、周方向の他方側の端部から周方向の中間部まで周方向の一方側に向かって漸次上側に向かう第３傾斜面９１４と、を有している。第２傾斜面９１３は、第３傾斜面９１４よりも周方向に長く形成されている。このため、第２傾斜面９１３と第３傾斜面９１４との境界部は、分割片９１２の周方向の中央部よりも周方向の他方側に配置されている。第２傾斜面９１３と第３傾斜面９１４とは、略同じ高さに形成されている。
第２傾斜面９１３の傾斜角は、回転子６の羽部６３の下端面６３４（図５および図６参照）の傾斜角および第１傾斜面８１１（図７参照）の傾斜角と同じ値に設定されている。
【００４１】
当接部９２は、上下方向から見て円環状に形成されている。当接部９２は、その外径が枠部３のスリット部３６の幅寸法Ｄ１（図２参照）よりも大きく形成されている、このため、第２カム部９は、枠部３のスリット部３６を上下方向に通過できないように構成されている。
【００４２】
２つのリブ９３は、軸線Ｌ１を挟んで互いに対向した位置に、同じ高さに配置されている。２つのリブ９３は、それぞれ４つの分割溝部９１１や第２傾斜面９１３および第３傾斜面９１４と干渉しない位置に形成されている。
リブ９３は、当接部９２よりも第２筒状部９１からの突出寸法が小さく形成されている。リブ９３の下端部は、当接部９２の上面に当接している。
【００４３】
第２カム部９は、第２筒状部９１が第１カム部８の第１筒状部８１に下側から挿通されている。
このとき、第２カム部９の４つの分割片９１２は、それぞれ第１カム部８の位置決め部８３によって形成された空部８３３に下側から挿通され、第２カム部９の分割溝部９１１の内側に位置決め部８３の突出片８３２が入り込んでいる。第２筒状部９１の内部には、第１カム部８の位置決め部８３の環状部８３１が配置されている。
また、第２カム部９の２つのリブ９３は、それぞれ第１カム部８のガイド溝部８１３に挿入されている。
【００４４】
第１カム部８と第２カム部９とは、互いに固定されておらず、上下方向に相対移動可能に構成されている。このとき、第１カム部８の位置決め部８３の突出片８３２が第２カム部９の分割溝部９１１に沿って上下方向に移動し、第２カム部９のリブ９３が第１カム部８のガイド溝部８１３に沿って移動している。なお、第１カム部８と第２カム部９とは、第１カム部８の位置決め部８３の突出片８３２が第２カム部９の分割溝部９１１に入り、第２カム部９のリブ９３が第１カム部８のガイド溝部８１３に入っているため、周方向の相対回転は出来ないように構成されている。
【００４５】
図９示すように、第１筒状部８１と第２筒状部９１とは、第１筒状部８１の停止面８１２が、第２筒状部９１の第２傾斜面９１３と径方向に重なった位置に配置されている。このため、第１筒状部８１の停止面８１２の下端部８１２ａを、その停止面８１２が径方向に重なる第２傾斜面９１３の面の高さに配置すると、図２および図３に示すように、停止面８１２よりも周方向の他方側の第１傾斜面８１１の下部側が第２傾斜面９１３の上部側と重なる。このとき、径方向に重なっている第１傾斜面８１１の下部側と、第２傾斜面９１３の上部側の周方向の長さは、回転子６の羽部６３の周方向の長さに相当している。
【００４６】
図９に戻り、第１カム部８の第１筒状部８１は、第２カム部９の当接部９２の上側に配置されている。第２カム部９の当接部９２の外径は、第１筒状部８１の外径よりも大きく設定されている。
これにより、第１カム部８は第２カム部９の当接部９２よりも下側に移動できず、第２カム部９の当接部９２は第１カム部８の下端部よりも上側に移動できないように構成されている。
【００４７】
上記のようなロック装置４は、回転子６の軸部６１の小径部６１２（図４および図５参照）が、第１カム部８の位置決め部８３の環状部８３１の孔部８３１ａ（図７参照）に挿通されている。第２カム部９の第２筒状部９１の分割片９１２が、第１カム部８の位置決め部８３の空部８３３に挿通されている。位置決め部８３の環状部８３１は、第２カム部９の第２筒状部９１に挿通されている。
回転子６の円板部６２および羽部６３（図４および図５参照）は、位置決め部８３よりも上側に配置され、軸部６１の大径部６１１（図４および図５参照）は、位置決め部８３よりも下側に配置されている。軸部６１の大径部６１１に連結された被係止部５（図４および図５参照）は、第２カム部９の当接部９２の下側に配置されている。
【００４８】
なお、上述したように、被係止部５、円板部６２および４つの羽部６３は、ロック装置４を組み立てる段階で軸部６１と連結されている。具体的には、まず、内部に第２カム部９が挿通された状態の第１カム部８における環状部８３１の孔部８３１ａに軸部６１を挿通する。その後に、軸部６１の下端部に被係止部５を連結し、軸部６１の上端部に円板部６２および４つの羽部６３を連結している。
【００４９】
回転子６の円板部６２および羽部６３は、第１筒状部８１および第２筒状部９１を挿通できないとともに、回転子６の軸部６１の下端部に連結された被係止部５も第１筒状部８１および第２筒状部９１を挿通できないため、第１カム部８および第２カム部９は、回転子６の円板部６２および羽部６３と被係止部５との間に配置されている。
【００５０】
図１０に示すように、回転子６と第２カム部９は、上下方向に近接する方向にバネなどの付勢部材７１によって付勢されている。なお、図１０では、見付け方向から見たロック装置４を示している。
付勢部材７１は、上側に配置された回転子６の円板部６２および羽部６３と、下側に配置された第２カム部９の第２筒状部９１とを近接するように付勢している。本実施形態では、付勢部材７１は、図５および図６に示すようなコイルバネで、回転子６の軸部６１が挿通された状態で回転子６と第２カム部９とを近接する方向へ付勢している。
【００５１】
続いて、第１実施形態によるロック機構１の動作について説明する。
まず、ボトムバー２と枠部３とが固定されていないロック解除状態のロック装置４について説明する。回転子６の４つの羽部６３は、それぞれ同じ動作をするため、１つの羽部６３およびその羽部６３と関係する部材の動作について説明する。
【００５２】
図２および図３に示すように、ロック解除状態では、回転子６の羽部６３は、下端面６３４が第１カム部８の第１傾斜面８１１と当接し、羽部６３の停止当接面６３２が第１カム部８の停止面８１２と当接している。羽部６３の下端面６３４と停止当接面６３２との角部が第１カム部８の第１傾斜面８１１の下端部と停止面８１２の下端部との角部に配置されている。
【００５３】
これにより、回転子６は、第１カム部８に対して周方向の一方側に向かう回転が拘束されている。また、第１傾斜面８１１は、周方向の他方側に向かって上側に延びていて、回転子６が第１傾斜面８１１を上る方向には移動しないため、回転子６が周方向の他方側に回転することがない。
被係止部５は、第１姿勢（板面の長手方向が見付け方向となり、枠部３のスリット部３６を挿通可能な姿勢）となっている。
【００５４】
上述しているが、上側に配置された回転子６の円板部６２および羽部６３と、下側に配置された第２カム部９の第２筒状部９１とは、付勢部材７１によって近接する方向に付勢されている。このため、第２カム部９の第２傾斜面９１３と回転子６の羽部６３の下端面６３４とは、当接している。このとき、第１傾斜面８１１における羽部６３が当接している部分と、第２傾斜面９１３における羽部６３が当接している部分とは、径方向に重なって配置されている。
【００５５】
この状態において、羽部６３が当接している第１傾斜面８１１、停止面８１２および第２傾斜面９１３を第１傾斜面８１１−１、停止面８１２−１および第２傾斜面９１３−１とし、これらの周方向の一方側に隣接する第１傾斜面８１１、停止面８１２および第２傾斜面９１３を第１傾斜面８１１−２、停止面８１２−２および第２傾斜面９１３−２とする。
【００５６】
続いて、図１１に示すように、ボトムバー２を枠部３に向かって下側に移動させると、被係止部５は、枠部３のスリット部３６を通過し、軸部６１の下端部とともに枠溝部３７の内部に配置される。第２カム部９の当接部９２は、枠部３の第１上板部３４および第２上板部３５と当接する。これにより、第２カム部９は、さらに下側に移動できない状態となる。
【００５７】
図１２に示すように、さらに、ボトムバー２を枠部３に向かって押し付けて下側に移動させると、第１カム部８はボトムバー２に固定されているためボトムバー２とともに下側に移動するが、第２カム部９は枠部３の上面に当接して下側へ移動できないため、第１カム部８が第２カム部９に対して相対的に下側へ移動する。
このとき、羽部６３の下端面６３４は、第２傾斜面９１３−１と当接し、第２傾斜面９１３−１の上面に載った状態となっているため、第１カム部８の第１傾斜面８１１−１が羽部６３の下端面６３４から下側に離間する。第１カム部８の停止面８１２−１は、羽部６３の停止当接面６３２と当接した状態で羽部６３の停止当接面６３２に対して下側に移動する。
【００５８】
図１２および図１３に示すように、第１カム部８の停止面８１２−１の上端部８１２ｂが羽部６３の停止当接面６３２の下端部よりも下側となり、羽部６３の停止当接面６３２と停止面８１２−１とが離間すると、羽部６３は、周方向の一方側への回転を拘束されないことになる。これにより、図１４および図１５に示すように、羽部６３は、第２傾斜面９１３−１に沿って周方向の一方側に回転する。
【００５９】
第１カム部８が第２カム部９に対して下側に移動することにより、第２カム部９の第２傾斜面９１３−１は、下部側が第１カム部８の第１傾斜面８１１−２と径方向に重なることになる。このため、第２傾斜面９１３−１の上部側に沿って周方向の一方側に回転した羽部６３は、第２傾斜面９１３−１の下部側の上面を周方向の一方側に向かって下側に向かうように移動することによって、第１傾斜面８１１−２の上面に移動するようにガイドされる。
【００６０】
羽部６３は、付勢部材７１の付勢によってさらに下側（第２筒状部９１側）に向かい、下側に配置された第１傾斜面８１１−２に沿って下側に向かうとともに周方向の一方側に回転し、羽部６３の停止当接面６３２が停止面８１２−２と当接すると回転が停止される。
これにより、図１６および図１７に示すように、回転子６がボトムバー２に対して周方向の一方側に９０°回転したことになり、被係止部５が回転子６とともに枠溝部３７の内部において第２姿勢（板面の長手方向が見込み方向となる姿勢）となり、枠部３のスリット部３６を通過できず、枠部３に係止された状態となる。これにより、ボトムバー２が上方への移動することが拘束され、ロックされた状態となる。なお、本実施形態では、スクリーンが巻き上げられる方向に付勢されているため、ボトムバー２が上方へ移動しようとするが、図１８に示すように、被係止部５が枠部３の第１上板部３４および第２上板部３５の下面と当接して枠部３の係止部３８に係止された状態となる。
【００６１】
ロックを解除する場合は、ロックする場合と同様にボトムバー２を枠部３に対して押し付けて下側に移動させて、回転子６をさらに周方向の一方側に９０°回転させる。これにより、被係止部５がスリット部３６を通過可能な第１姿勢となる。この状態でボトムバー２を上側に移動させることで、被係止部５がスリット部３６を通って、枠部３の上側に移動する。これにより、ボトムバー２が枠部３から外れてロックが解除された状態となる。
【００６２】
次に、上述した第１実施形態によるロック機構の作用・効果について図面を用いて説明する。
上述した第１実施形態によるロック機構１では、ボトムバー２を枠部３に押し付ける動作を行うことで、被係止部５が係止部３８に係止されてボトムバー２と枠部３とが固定されたロック状態と、係止部３８による被係止部５の係止が解除されてボトムバー２と枠部３とが固定されていないロック解除状態と、に切り替えることができる。このように、ロック操作もロック解除操作もボトムバー２を枠部３に押し付けるという同じ動作で容易に行うことができる。
また、ボトムバー２を枠部２に押し付ける動作を行うことでロック状態とロック解除状態とを切り替えるため、室外・室内のどちらからでもロック状態とロック解除状態とを切り替えることができる。
【００６３】
また、ロック装置４は、被係止部５と連結された回転子６と、回転子６の周方向の回転・停止を切り替えるカム部７と、を有していることにより、カム部７によって回転子６を回転させて被係止部５も確実に回転させることができるため、ロック操作もロック解除操作も確実に行うことができる。
【００６４】
また、カム部７は、第１カム部８と、第２カム部９と、を有し、第２カム部９が回転子６を第１カム部８によって回転するようにガイドすることにより、回転子６を確実に回転させることができる。
【００６５】
（第２実施形態）
次に、第２実施形態について、添付図面に基づいて説明するが、上述の第１実施形態と同一又は同様な部材、部分には同一の符号を用いて説明を省略し、実施形態と異なる構成について説明する。
図１９および２０に示す第２実施形態によるロック機構１Ｂは、サッシに設けられていて、サッシの框部２Ｂ（図１９参照）に設けられたロック装置４Ｂと、枠部３Ｂ（図１９参照）に設けられた係止部３８Ｂと、を有している。
第２実施形態によるロック装置４Ｂは、被係止部５Ｂと、回転子６Ｂと、カム部７Ｂと、を有している。
【００６６】
図２１に示す第２実施形態の回転子６Ｂは、筒状に形成された回転子筒状部６５と、回転子筒状部６５の上端面から上側に突出する２つの羽部６３Ｂと、を有している。
羽部６３Ｂは、回転子筒状部６５に対して、軸線Ｌ１Ｂを介して対向する位置に配置されている。羽部６３Ｂは、回転子筒状部６５の外周面よりも外側に突出している。羽部６３Ｂは、上端面が周方向の一方側から他方側に向かって外側に湾曲しながら下側に向かう円弧面に形成されている。羽部６３Ｂの周方向の両端面は、それぞれ鉛直面に形成されている。第２実施形態においても羽部６３Ｂの周方向の一方側端面が停止当接面６３２Ｂとなっている。
【００６７】
被係止部５Ｂは、回転子筒状部６５の下端部から径方向の外側に突出する２つの板材５１，５１で構成されている。２つの板材５１，５１は、軸線Ｌ１Ｂを挟んで対向する位置に配置されている。本実施形態では、被係止部５Ｂの２つの板材５１，５１は、それぞれ羽部６３Ｂの鉛直方向下側に配置されている。
被係止部５Ｂは、回転子６Ｂとともに周方向に回転可能に構成されている。被係止部５Ｂは、回転子６Ｂとともに回転することで、回転子筒状部６５から突出する方向が見込み方向（枠部３Ｂおよびスリット部３６Ｂの長さ方向）となる第１姿勢と、回転子筒状部６５から突出する方向が見付け方向（枠部３Ｂおよびスリット部３６Ｂの幅方向）となる第２姿勢と、に切り替えられるように構成されている。被係止部５Ｂは、第１姿勢となるとスリット部３６Ｂを通過可能となり、第２姿勢となるとスリット部３６Ｂを通過できないように構成されている。
【００６８】
図２２に示すように、第１カム部８Ｂは、回転子６Ｂの上側に配置される外側筒状部８４と、外側筒状部８４の内部に配置されるとともに回転子６Ｂの回転子筒状部６５の内部に配置される内側筒状部８５と、外側筒状部８４および内側筒状部８５の上端部が連結される円板部８６と、を有している。
外側筒状部８４の下端面には、周方一方側から他方側に向かって漸次下側に向かう第１傾斜面８１１Ｂ（第１摺動面）と、周方向の他方側を向く鉛直面となる停止面８１２Ｂと、が交互に４つずつ配列されている。外側筒状部８４の下端面は、連続した山形形状（ギザギザ形状）に形成されている。
【００６９】
４つの第１傾斜面８１１Ｂは、外側筒状部８４の下端面に９０°ずつ周方向にずれた位置に形成されている。４つの第１傾斜面８１１Ｂは、同じ傾斜角および同じ長さに形成され、同じ高さに配置されている。
４つの停止面８１２Ｂは、それぞれ周方向の一方側に配置された第１傾斜面８１１Ｂの周方向の他方側の端部（下端部）と、この第１傾斜面８１１Ｂの周方向の他方側に配置された第１傾斜面８１１Ｂの周方向の一方側の端部（上端部）とを接続するように形成されている。４つの停止面８１２Ｂは、同じ高さに配置され、鉛直面に構成されている。
【００７０】
外側筒状部８４には、下端部から高さ方向の中間部まで延びる２つの溝部８４１が形成されている。２つの溝部８４１は、軸線Ｌ１Ｂを挟んで対向する位置に配置されている。溝部８４１は、第１傾斜面８１１Ｂと上下方向に重なる位置に形成されている。
内側筒状部８５は、回転子６Ｂよりも小径に形成され、回転子６Ｂよりも上下方向の寸法が大きく設定されている。外側筒状部８４および内側筒状部８５は、それぞれの上端部が同じ高さで円板部８６に接続されている。内側筒状部８５の下端部が外側筒状部８４の下端部よりも下側に配置されている。
【００７１】
図２３に示すように、第２カム部９Ｂは、筒状に形成された第２カム部筒状部９５と、第２カム部筒状部９５から外側に突出する突出片９６と、を有している。
第２カム部筒状部９５の内側には、上側から第１カム部８Ｂの内側筒状部８５が挿通され、外側に第１カム部８Ｂの外側筒状部８４が配置されている。第２カム部筒状部９５の下側には、第１カム部８Ｂの内側筒状部８５が挿通された回転子６Ｂが配置されている。
回転子６Ｂと第２カム部９Ｂは、上下方向に近接する方向にバネなどの付勢部材（不図示）によって付勢されている。付勢部材は、下側に配置された回転子６Ｂと、上側に配置された第２カム部９とを近接するように付勢している。
【００７２】
第２カム部筒状部９５の下端面には、周方向の他方側から一方側に向かって上側に向かう第２傾斜面９１３Ｂと、周方向の一方側から他方側に向かって上側に向かう第３傾斜面９１４とが交互に形成されている。第２傾斜面９１３Ｂおよび第３傾斜面９１４Ｂは、それぞれ４つずつ形成されている。第２傾斜面９１３Ｂは、回転子６Ｂの羽部６３Ｂの先端部６３５Ｂが当接可能な位置に配置されている。
第２傾斜面９１３Ｂの傾斜角は、第１傾斜面８１１Ｂの傾斜角と略同じ値に設定されている。
【００７３】
突出片９６は、第１カム部８Ｂの溝部８４１に挿入され、溝部に８４１沿って上下方向に移動可能な形状に形成されている。このため。第２カム部９Ｂは第１カム部８Ｂと上下方向に溝部８４１に沿って上下方向に相対移動可能で、周方向の相対回転は出来ないように構成されている。
突出片９６は、第１カム部８Ｂの溝部８４１に挿入されると、先端部が第１カム部８Ｂの外側筒状部８４よりも外側に突出している。突出片９６の外側筒状部８４よりも外側に突出する部分は、框部２Ｂに係止されている。突出片９６が框部２Ｂに係止された第２カム部９Ｂは、框部２Ｂとの上下方向の相対移動と、框部２Ｂとの相対回転ができないように構成されている。
【００７４】
続いて、第２実施形態によるロック機構１Ｂの動作について説明する。
まず、ロックが解除され、框部２Ｂと枠部３Ｂとが離間した状態のロック解除状態のロック装置４について説明する。回転子６Ｂの２の羽部６３Ｂは、それぞれ同じ動作をするため、１つの羽部６３Ｂおよびその羽部６３Ｂと関係する部材の動作について説明する。
【００７５】
図１９に示すように、回転子６Ｂの羽部６３Ｂは、上端部が第１カム部８Ｂの第１傾斜面８１１Ｂと当接し、停止当接面６３２Ｂが第１カム部８Ｂの停止面８１２Ｂと当接している。羽部６３Ｂの上端部が第１カム部８Ｂの第１傾斜面８１１Ｂの上端部と停止面８１２Ｂの上端部との角部に配置されている。これにより、回転子６Ｂは、第１カム部８Ｂに対して周方向の一方側の回転が拘束されている。
また、回転子６Ｂは、上側の第２カム部９Ｂに近接するように付勢されているため、下側には移動せず周方向の他方側にも回転しない。
被係止部５Ｂは、第１姿勢となっている。
【００７６】
第２カム部９Ｂは、回転子６Ｂに付勢されているため、第２傾斜面９１３Ｂが回転子６Ｂの羽部６３Ｂの上端部と当接している。このとき、第１傾斜面８１１Ｂの羽部６３Ｂの上端部が当接している部分と、第２傾斜面９１３Ｂの羽部６３Ｂの上端部が当接している部分とは、径方向に重なって配置されている。
このとき羽部６３Ｂが当接している第１傾斜面８１１Ｂ、停止面８１２Ｂおよび第２傾斜面９１３Ｂを第１傾斜面８１１Ｂ−１、停止面８１２Ｂ−１および第２傾斜面９１３Ｂ−１とし、これらの第１傾斜面８１１Ｂ−１、停止面８１２Ｂ−１および第２傾斜面９１３Ｂ−１の周方向の一方側に隣接する第１傾斜面８１１Ｂ、停止面８１２Ｂおよび第２傾斜面９１３Ｂを第１傾斜面８１１Ｂ−２、停止面８１２Ｂ−２および第２傾斜面９１３Ｂ−２とする。
【００７７】
框部２Ｂを枠部３Ｂに向かって下側に移動させると、框部２Ｂの框溝部２１４Ｂの内部に枠部３Ｂが入り込み、第１カム部８Ｂの内側筒状部８５の下部側および回転子６Ｂの回転子筒状部６５の下部側が第１姿勢の被係止部５Ｂとともに枠部３Ｂのスリット部３６から框溝部２１４Ｂに入り込む。
【００７８】
図２４に示すように、框部２Ｂを更に下側に移動させると、第１カム部８Ｂの内側筒状部８５の下端部８５ａが枠溝部３７Ｂの下板部３３Ｂと当接する。
框部２Ｂを更に下側に移動させると、第２カム部９Ｂは框部２Ｂに固定されているため框部２Ｂともに下側に移動する。
第１カム部８Ｂは、下端部が枠部３Ｂに当接しているため下側に移動しない。回転子６Ｂの羽部６３Ｂは、第２カム部９Ｂの第１傾斜面８１１Ｂ−１と当接しているため。第２カム部９Ｂに押されるようにして下側に移動する。このとき回転子６Ｂの羽部６３Ｂは第１カム部８Ｂの停止面８１２Ｂ−１と当接しているため、回転子６Ｂは、周方向に回転せずに下側に移動する。
【００７９】
回転子６Ｂが框部２Ｂおよび第２カム部９Ｂとともにさらに下側に移動すると、羽部６３Ｂが第１カム部８Ｂの停止面８１２Ｂ−１よりも下側に配置される。回転子６Ｂは、第２カム部９Ｂとは相対回転可能であるとともに上側の第２カム部９Ｂに向かって付勢されている。このため、図２５および図２６に示すように、回転子６Ｂの羽部６３Ｂは、第２カム部９Ｂの第２傾斜面９１３Ｂ−１に沿って回転方向の一方側に案内され、第１カム部８Ｂの第１傾斜面８１１−２と当接する。
そして、回転子６Ｂは、第２カム部９Ｂに近接する上側への付勢によって上側に移動しようとして、図２７および図２８に示すように第１カム部８Ｂの第１傾斜面８１１Ｂ−２に沿って回転方向の一方側に回転する。図２９および図３０に示すように、羽部６３Ｂが９０°回転すると、停止面８１２Ｂ−２と当接して回転が停止する。
【００８０】
回転子６Ｂが周方向の一方側に９０°回転することによって、被係止部５Ｂは枠溝部３７Ｂの内部において第２姿勢となるため、枠部３Ｂの第１上板部２１３と第２上板部２２３との間を通過できず、枠部３Ｂに係止された状態となる。これにより、框部２Ｂの上方への移動が拘束され、ロックされた状態となる。
【００８１】
ロックを解除する場合は、ロックする場合と同様に框部２Ｂを枠部３Ｂに対して押し付けて下側に移動させて、回転子６Ｂをさらに周方向の一方側に９０°回転させる。これにより、被係止部５Ｂがスリット部３６Ｂを通過可能な第１姿勢となる。この状態で框部２Ｂを上側に移動させることで、被係止部５Ｂがスリット部３６Ｂを通って、枠部３Ｂの上側に移動する。これにより、框部２Ｂが枠部３Ｂから外れてロックが解除された状態となる。
【００８２】
第２実施形態によるロック装置４では、第１実施形態と同様の効果を奏する。
【００８３】
以上、本発明によるロック機構１の実施形態について説明したが、本発明は上記の実施形態に限定されるものではなく、その趣旨を逸脱しない範囲で適宜変更可能である。
例えば、上記の第１実施形態では、ロック装置４はスクリーン装置１１に取付けられ、第２実施形態では、スクリーン装置１１はサッシ装置に取り付けられているが、ロック装置４は、スクリーン装置１１やサッシ装置以外のシャッター装置、室内建具、玄関ドアなどの建具に取り付けられていてもよいし、互いに固定する第１部材および第２部材に取り付けられていてもよい。
【００８４】
また、上記の実施形態では、回転子６の周方向の回転および停止を切り替えるカム部７は、第１カム部８と第２カム部９とを有し、第２カム部９が第１カム部８によって回転するように回転子６をガイドするように構成されているが、１つのカム部で回転子６の回転および停止を切り替えるように構成されていてもよい。
【００８５】
また、上記の実施形態によるロック機構は、ボトムバー２が上下方向に移動するスクリーン装置や、框部２Ｂが上下方向に移動するサッシに設けられて、ボトムバー２や框部２Ｂが下側に押し付けられることでロック状態とロック解除状態とを切り替えるように構成されている。これに対し、ボトムバー２や框部２Ｂなどの第１部材が水平方向に移動するスクリーン装置やサッシ、または他の形態の建具などに設けられて、第１部材を横方向に押し付けることでロック状態とロック解除状態とを切り替えるように構成されていてもよい。
【符号の説明】
【００８６】
１，１Ｂ  ロック機構
２  ボトムバー（第１部材）
２Ｂ  框部（第１部材）
３，３Ｂ  枠部
４，４Ｂ  ロック装置
５，５Ｂ  被係止部
６，６Ｂ  回転子
７，７Ｂ  カム部
８，８Ｂ  第１カム部
９，９Ｂ    第２カム部
３８，３８Ｂ  係止部
３６，３６Ｂ
９２  当接部
８１１，８１１Ｂ  第１傾斜面（第１摺動面）
８１２  停止面
９１３，９１３Ｂ  第２傾斜面（第２摺動面）
【図１】
2019023406.tif 000003
【図２】
2019023406.tif 000004
【図３】
2019023406.tif 000005
【図４】
2019023406.tif 000006
【図５】
2019023406.tif 000007
【図６】
2019023406.tif 000008
【図７】
2019023406.tif 000009
【図８】
2019023406.tif 000010
【図９】
2019023406.tif 000011
【図１０】
2019023406.tif 000012
【図１１】
2019023406.tif 000013
【図１２】
2019023406.tif 000014
【図１３】
2019023406.tif 000015
【図１４】
2019023406.tif 000016
【図１５】
2019023406.tif 000017
【図１６】
2019023406.tif 000018
【図１７】
2019023406.tif 000019
【図１８】
2019023406.tif 000020
【図１９】
2019023406.tif 000021
【図２０】
2019023406.tif 000022
【図２１】
2019023406.tif 000023
【図２２】
2019023406.tif 000024
【図２３】
2019023406.tif 000025
【図２４】
2019023406.tif 000026
【図２５】
2019023406.tif 000027
【図２６】
2019023406.tif 000028
【図２７】
2019023406.tif 000029
【図２８】
2019023406.tif 000030
【図２９】
2019023406.tif 000031
【図３０】
2019023406.tif 000032